(57)【特許請求の範囲】
【請求項１】
足背が差し込まれるリング状の足背アーチ調整バンドであって、
差し込まれる足の舟状骨をかなめとする内側縦アーチを保持する後脛骨筋に緊締力を付与し、前記舟状骨の皮膚表面である舟状骨皮膚部を押圧する内側縦アーチ押圧部と、
差し込まれる足の立方骨をかなめとする外側縦アーチを保持する長腓骨筋に緊締力を付与し、前記立方骨の皮膚表面である立方骨皮膚部を押圧する外側縦アーチ押圧部とを有し、
前記舟状骨と前記立方骨のみを適格に保持し、かつ、保持が不要な部分は保持しない幅を有し、
前記緊締力が２ｈＰａから１５ｈＰａである、
足背アーチ調整バンド。
【請求項２】
前記足背アーチ調整バンドの素材は、非ジエン系のシリコンゴム、非ジエン系のウレタンゴム、天然ゴム、又は熱可塑性エラストマーである、請求項１に記載の足背アーチ調整バンド。
【請求項３】
請求項１又は２に記載の足背アーチ調整バンドと、
差し込まれる足の母趾基節骨の内転が押圧力によって矯正されるように、差し込まれる足の母趾に差し込まれるリング状の母趾アーチ調整バンドであって、差し込まれる足の長母趾屈筋に緊締力を付与し、母趾基節骨と母趾末節骨との間の関節の皮膚表面である基節骨皮膚部に当接し、前記長母趾屈筋への緊締力が２ｈＰａから１５ｈＰａである母趾アーチ調整バンドとを備えた、
足部アーチ調整バンド。
【請求項４】
前記母趾アーチ調整バンドの素材は、非ジエン系のシリコンゴム、非ジエン系のウレタンゴム、天然ゴム、又は熱可塑性エラストマーである、請求項３に記載の足部アーチ調整バンド。
【発明の詳細な説明】
【技術分野】
【０００１】
本発明は、外反母趾やモートン病など足部アーチの低下いわゆる扁平足を主要因とした障害に対し、足部アーチを調整及び保持することで症状を改善させる足部アーチ調整バンドに関する。
【背景技術】
【０００２】
図１から図４を用いて、足裏にあるアーチの種類、構造及び機能を説明する。
図１から図４に示すように、足３０は、身体の土台として地形変化への適合や、身体平衡の保持、歩行などの動作における衝撃吸収や推進など、きわめて重要な役割を果たしている。
足３０は、脛骨と腓骨に連なる７個の足根骨（舟状骨５１、３個の楔状骨５６、距骨４５、踵骨５５、立方骨５２）と５個の中足骨５３ａ〜５３ｅ、１４個の足趾骨（５個の末節骨４１ａ〜４１ｅ、４個の中節骨４２、５個の基節骨４３ａ〜４３ｅ）、及び、数個の種子骨と過剰骨とからなり、これらが非常に複雑に組み合わさり、身体の一部として重要な機能を担っている。
特に、足裏には、「土踏まず」といわれる特徴的な凹形状の窪み６８（図４（ｃ）参照）がある。この足裏にある窪み６８に対応する足部アーチ７３は、立ったり歩いたり走ったりなど日々の動作を行うためには重要な機能を持つ。
【０００３】
図１及び図３に示すように、足裏にある足部アーチは、３つの荷重点である第１中足骨頭（支点Ａ）と第５中足骨頭（支点Ｂ）、及び、踵骨隆起内外側突起（支点Ｃ）の３点が支点として骨性のアーチ構造を形成している。
足裏にある足部アーチは、支点Ａと支点Ｃとを結び構成される内側縦アーチ７１、支点Ｂと支点Ｃとを結ぶ外側縦アーチ７２、及び、内側縦アーチ７１（支点Ａと支点Ｃ）と外側縦アーチ７２（支点Ｂと支点Ｃ）との間の間隙部分にある横アーチ７３の３つに分類される。
この足部アーチ７１、７２、７３が形成されていることで、地面の凹凸や傾斜に足部を適合させ立つ際に姿勢を保持する役割を担い、また、荷重に伴う衝撃を吸収し、歩行や走行などの移動の際に推進力として提供している。
【０００４】
次に、図１、図２及び図４を参照して、内側縦アーチ７１、外側縦アーチ７２及び横アーチ７３の説明をする。
図１（ａ）及び図１（ｂ）に示すように、内側縦アーチ７１は、踵骨５５、舟状骨５１、内側楔状骨５６、中足骨５３ａで構成されており、内側縦アーチ７１のかなめとなる骨は舟状骨５１である。内側縦アーチ７１を保持するための重要となる筋肉は舟状骨５１に付着している後脛骨筋８１である。
外側縦アーチ７２は、踵骨５５、立方骨５２、外側楔状骨５６、中足骨５３ｅで構成されている。外側縦アーチ７２のかなめとなる骨は立方骨５２であり、外側縦アーチ７２を保持するための重要となる筋肉は長腓骨筋８２及び短腓骨筋（図示せず）である。
図４に示すように、横アーチ７３は、内側縦アーチ７１と外側縦アーチ７２との間の間隙部分にあり、前（図４（ａ））、中（図４（ｂ））及び後（図４（ｃ））の３つに分類され、３つに分類された横アーチ７３をそれぞれ構成する骨は、互いに異なる。
【０００５】
これらの足部アーチ７１、７２、７３は、骨以外に靭帯、筋肉及び腱が作用しあうことで足部アーチ７１、７２、７３の機能を提供している。
足部アーチ７１、７２、７３の保持機能の低下、いわゆる扁平足は足裏の筋肉の低下や疲労、靭帯の緩みなどによって生じ、足部の症状以外にも足部よりも上位に位置する膝、股関節さらには体幹など身体へ悪影響を及ぼしてしまう。足部アーチ７１、７２、７３の低下によって生じる症状は開張足、外反母趾、足底腱膜炎、過労性骨膜炎、外反膝、変形性膝関節症、腰痛などである。
内側縦アーチ７１及び外側縦アーチ７２の保持機能が低下する大きな要因は、後脛骨筋８１、長腓骨筋８２の機能が低下することにある。
【０００６】
横アーチ７３の低下によって生じる代表的な障害は外反母趾である。外反母趾は、女性に多くみられる足の変形であり、横アーチ７３の低下によって短母趾屈筋、長母趾屈筋、母趾外転筋などが有効に作用しなくなり、中足骨５３ａが外転し、母趾の基節骨が内転してしまう病気である。
これらの症状を改善するためには、足部アーチ７１、７２、７３の保持に関わる筋肉を鍛えることや足部アーチ７１、７２、７３を保持することを目的としたテーピング、足底板、バンドなどを用いることが有効とされる。
【０００７】
外反母趾には、母趾と第２趾との間にクッション体を挿入していることや、母趾を第２趾から足の内側に引っ張っていることで、母趾の基節骨４３ａの内転を矯正している。さらに足の前部全体を囲むようにバンドで包むことで、横アーチ７３の低下を防止しているものがある。
【０００８】
従来、用いられるテーピングは、母趾の基節骨４３ａの内転の矯正に関しては優れているが、一人でテーピングを行うには困難であること、テープの糊によって皮膚に炎症を起こしてしまうこと、使用は一回限りであるため費用がかかってしまうことなどの問題がある。
また、足底板は、靴の中敷きとして挿入するので履く靴が限定されてしまうこと、靴を履かない場面では効果が期待されないことなどの問題がある。
【０００９】
バンドでは、テーピングを貼付する方法であるフィギュアエイトをバンド化したものがある。しかし、この方法では、アーチは保持されるものの足関節を下に動かす底屈作用を制限してしまい、正常な足関節の動きを制限してしまう欠点がある。
【００１０】
また、足３０は小さな骨が多数に組み合わさり、足部アーチ７１、７２、７３を保持する筋肉は足部のさまざまな骨に付着する。つまり、バンドなどは、内側縦アーチ７１のかなめとなる舟状骨５１、及び、外側縦アーチ７２のかなめとなる立方骨５２以外の部分も保持するため、保持が不要な部分まで固定してしまという問題がある。
外反母趾に対して従来用いられるバンドは母趾を内側に引っ張り、母趾の位置を矯正することや前部の横アーチ７３を保持する目的で足３０の前部分を圧迫しているのみである。この方法では、外反母趾の症状を持つ方は横アーチ７３の低下だけでなく、内側縦アーチ７１及び外側縦アーチ７２も同様に保持機能が低下しているため、母趾のみの矯正及び横アーチ７３のみの保持では限定的な手段となり有効な改善策にはならない。
【発明の概要】
【発明が解決しようとする課題】
【００１１】
本発明の課題は、内側縦アーチのかなめとなる舟状骨、外側縦アーチのかなめとなる立方骨、及び、母趾の関節部を的確に保持することで、内側縦アーチ、外側縦アーチ、横アーチを適切に形成でき、扁平足などの足部障害及び身体の動きを効果的に改善させる足背アーチ調整バンド、足部アーチ調整バンドを提供することである。
【課題を解決するための手段】
【００１２】
発明者は精鋭研究を重ね、以下の発明をするに至った。
（１）足背が差し込まれるリング状の足背アーチ調整バンドであって、
差し込まれる足の舟状骨に付着している内側縦アーチを保持する後脛骨筋に緊締力が付与されるように、前記舟状骨の皮膚表面である舟状骨皮膚部を押圧する内側縦アーチ押圧部と、
差し込まれる足の立方骨に付着している外側縦アーチを保持する長腓骨筋に緊締力が付与されるように、前記立方骨の皮膚表面である立方骨皮膚部を押圧する外側縦アーチ押圧部と、を有する、足背アーチ調整バンド。
（２）  さらに、前記足背の皮膚表面に係止する足背部を有する、（１）に記載の足背アーチ調整バンド。
【００１３】
（３）  前記内側縦アーチ押圧部は、前記舟状骨皮膚部の幅と略同一の幅を有し、
前記外側縦アーチ押圧部は、前記立方骨皮膚部の幅と略同一の幅を有する、（１）又は（２）に記載の足背アーチ調整バンド。
（４）  足背アーチ調整バンドの素材は、非ジエン系のシリコンゴム、非ジエン系のウレタンゴム、天然ゴム、又は熱可塑性エラストマーである、（１）から（３）のいずれかに記載の足背アーチ調整バンド。
（５）  後脛骨筋及び長腓骨筋への緊締力は、２ｈＰａから１５ｈＰａである、（１）から（４）のいずれかに記載の足背アーチ調整バンド。
【００１４】
（６）  （１）から（５）のいずれかに記載の足背アーチ調整バンドと、
前記差し込まれた足の母趾基節骨の内転が押圧力によって矯正されるように、前記差し込まれた足の母趾に差し込まれるリング状の母趾アーチ調整バンドであって、
前記差し込まれる足の長母趾屈筋に緊締力が付与されるように、母趾基節骨と母趾末節骨との間の関節の皮膚表面である基節骨皮膚部に当接する母趾アーチ調整バンドとを備えた足部アーチ調整バンド。
（７）  前記母趾アーチ調整バンドの素材は、非ジエン系のシリコンゴム、非ジエン系のウレタンゴム、天然ゴム、又は熱可塑性エラストマーである、（６）に記載の足部アーチ調整バンド。
（８）  前記母趾アーチ調整バンドの押圧力は、２ｈＰａから１５ｈＰａである、（６）又は（７）に記載の足部アーチ調整バンド。
【００１５】
（９）  （１）から（５）のいずれかに記載の足背アーチ調整バンドの装着方法であって、
前記内側縦アーチ押圧部が前記舟状骨皮膚部に当接させ、前記外側縦アーチ押圧部が前記立方骨皮膚部に当接させるように、前記足背アーチ調整バンドを前記舟状骨皮膚部及び前記立方骨皮膚部を通して巻きつける、足背アーチ調整バンドの装着方法。
（１０）  （６）から（８）のいずれかに記載の足部アーチ調整バンドの装着方法であって、
前記基節骨の内転が矯正され、前記母趾アーチ調整バンドが前記基節骨皮膚部に当接させるように、前記母趾アーチ調整バンドを母趾に巻きつける、足部アーチ調整バンドの装着方法。
【００１６】
（１１）  （１）から（５）のいずれかに記載の足背アーチ調整バンドと、
緊締力が前記後脛骨筋及び前記長腓骨筋に付与されるように、前記足背アーチ調整バンドが取り付けられたインソールと、を備えたバンド付きインソール。
（１２）  （６）から（１０）のいずれかに記載の足部アーチ調整バンドと
緊締力が前記後脛骨筋及び前記長腓骨筋に付与されるように、前記足背アーチ調整バンドが取り付けられ、また、緊締力が前記長母趾屈筋に付与されるように、前記母趾アーチ調整バンドが取り付けられたインソールと、を備えたバンド付きインソール。
【００１７】
（１３）  フットウエアと、
緊締力が前記後脛骨筋及び前記長腓骨筋に付与されるように、前記フットウエアの内側に取り付けられた、（１）から（５）のいずれかに記載の足背アーチ調整バンドと、を備えたバンド付きフットウエア。
（１４）  フットウエアと、
（６）から（１０）のいずれかに記載の足部アーチ調整バンドと、を備え、
緊締力が前記後脛骨筋及び前記長腓骨筋に付与されるように、前記足背アーチ調整バンドが前記フットウエアの内側に取り付けられ、
緊締力が前記長母趾屈筋に付与されるように、前記母趾アーチ調整バンドが前記フットウエアの内側に取り付けられた、バンド付きフットウエア。
【００１８】
（１５）  足背が差し込まれるフットウエアであって、
差し込まれる足の舟状骨をかなめとする内側縦アーチを保持する後脛骨筋に緊締力が付与されるように、前記舟状骨の皮膚表面である舟状骨皮膚部を押圧する内側縦アーチ押圧部と、
差し込まれる足の立方骨をかなめとする外側縦アーチを保持する長腓骨筋に緊締力が付与されるように、前記立方骨の皮膚表面である立方骨皮膚部を押圧する外側縦アーチ押圧部とを有するフットウエア。
（１６）  さらに、前記差し込まれる足の長母趾屈筋に緊締力が付与されるように、母趾基節骨と母趾末節骨との間の関節の皮膚表面である基節骨皮膚部に当接する母趾アーチ調整バンド部とを備えた、（１５）に記載のフットウエア。
【００１９】
（１７）  当該フットウエアは、靴下、５本指靴下、足袋型靴下、スポーツソックス、ストッキング、タイツ、スパッツ、レギンス、トレンカ、足袋、地下足袋、トレーニングウエア、スポーツウェア、靴、スリッパ、又は、ルームシューズである、（１５）又は（１６）に記載のフットウエア。
【発明の効果】
【００２０】
本発明によれば、内側及び外側縦アーチのかなめとなる舟状骨と立方骨及び母趾の関節部を的確に保持することで内側、外側、横アーチを形成でき、扁平足などの足部障害及び身体の動きを効果的に改善させることができる。
【図面の簡単な説明】
【００２１】
【図１】（ａ）は、本発明に係る足背アーチ調整バンド、足部アーチ調整バンドを右足に装着し、足の内側から見た状態である。（ｂ）は、（ａ）の足部アーチを説明する状態図である。
【図２】図１に示す足背アーチ調整バンド、足部アーチ調整バンドを装着した右足の外側から見た状態図である。
【図３】図１に示す足背アーチ調整バンド、足部アーチ調整バンドを装着した右足の上側から見た状態図である。
【図４】（ａ）は、図３に示した右足のａ−ａ断面図である。（ｂ）は、図３に示した右足のｂ−ｂ断面図である。（ｃ）は、図３に示した右足のｃ−ｃ断面図である。
【図５】健常な方が歩いている際に通る足圧中心の軌跡を実線で示した図である。
【図６】女性で多くみられる外反母趾や前方部の横アーチ低下にともない生じるモートン病などの方の足圧中心の軌跡を示した図である。
【図７】本発明に係るフットウエアを右足に装着し、足の外から見た状態である。
【図８】図７に示したフットウエア外観斜視図である。
【図９】本発明に係る別のフットウエアを足に装着した外観斜視図である。
【図１０】本発明に係るさらに別のフットウエアを足に装着した外観斜視図である。
【図１１】図１０のＸＩ−ＸＩ断面図である。
【図１２】本発明に係るバンド付きフットウエアの外観斜視図である。
【図１３】図１２のＸＩＩＩ−ＸＩＩＩの断面図である。
【図１４】本発明に係るインソールの外観斜視図である。
【図１５】ｎａｖｉｃｕｌａｒ  ｄｒｏｐ  ｔｅｓｔの計測方法を示した図である。
【図１６】肩関節屈曲及び伸展の関節可動域計測の方法を示した図である。
【図１７】大腿四頭筋の硬さの計測の方法を示した図である。
【図１８】ハムストリングの硬さの計測の方法を示した図である。
【発明を実施するための形態】
【００２２】
図１から図６を参照して、本発明に係る足背アーチ調整バンド１０、足部アーチ調整バンド１の説明をする。足部アーチ調整バンド１は、足背アーチ調整バンド１０と母趾アーチ調整バンド２０とを有する。
足背アーチ調整バンド１０及び母趾アーチ調整バンド２０は、いずれか一方を用いてもよいし、両者を用いても良い。足背アーチ調整バンド１０及び母趾アーチ調整バンド２０を用いた方が、内側縦アーチ７１のかなめとなる舟状骨５１、外側縦アーチ７２のかなめとなる立方骨５２、及び、母趾の関節部４０を的確に保持することで内側縦アーチ７１、外側縦アーチ７２、横アーチ７３を適切に形成でき、扁平足などの足部障害及び身体の動きを効果的に改善させることができる。
【００２３】
足背アーチ調整バンド１０は、長軸方向に伸縮が可能であり、足３０の甲の付け根３１と舟状骨５１及び立方骨５２を通して巻き、足部の内側縦アーチ７１と外側縦アーチ７２とをサポートするリング状のバンドである。したがって、足背アーチ調整バンド１０は、足３０の甲に差し込まれると、足背アーチ調整バンド１０自体の伸縮力により、足３０の皮膚表面６０の周囲を所定の押圧力で圧縮する。
【００２４】
足背アーチ調整バンド１０は、例えば、リング状のゴムベルトで形成される。足背アーチ調整バンド１０の素材は、非ジエン系のシリコンゴム、非ジエン系のウレタンゴム、天然ゴム、又は熱可塑性エラストマーが好ましい。
足背アーチ調整バンド１０は、内側縦アーチ押圧部１１と、外側縦アーチ押圧部１２と、足３０の甲の皮膚表面部６３に係止する足背部１３とを有する（図４（ａ）参照）。
【００２５】
内側縦アーチ押圧部１１は、足背アーチ調整バンド１０の伸縮性による緊締力が後脛骨筋８１に付与するように、足３０の皮膚表面６０のうち舟状骨５１の表面である舟状骨皮膚部６１を押圧する。後脛骨筋８１は差し込まれる足３０の舟状骨５１に付着している内側縦アーチ７１を保持する筋である。内側縦アーチ押圧部１１が押圧する押圧力の殆どが後脛骨筋８１に作用するように、内側縦アーチ押圧部１１は、舟状骨皮膚部６１の幅と略同一の幅を有することが好ましい。
【００２６】
外側縦アーチ押圧部１２は、足背アーチ調整バンド１０の伸縮性による緊締力が長腓骨筋８２に付与するように、足３０の皮膚表面６０のうち立方骨５２の表面である立方骨皮膚部６２を押圧する。長腓骨筋８２は、差し込まれる足３０の立方骨５２に付着している外側縦アーチ７２を保持する。外側縦アーチ押圧部１２が押圧する押圧力の殆どが長腓骨筋８２に作用するように、外側縦アーチ押圧部１２は、立方骨皮膚部６２の幅と略同一の幅を有することが好ましい。
【００２７】
後脛骨筋８１への緊締力は、２ｈＰａから１５ｈＰａであることが好ましい。後脛骨筋８１への緊締力は、内側縦アーチ押圧部１１と舟状骨皮膚部６１との間に作用する圧力を測定することで得られる。内側縦アーチ押圧部１１と舟状骨皮膚部６１との間に作用する圧力を測定した場合において、２ｈＰａから１５ｈＰａであることが好ましく、３ｈＰａから１０ｈＰａであることがより好ましく、４ｈＰａから８ｈＰａであることがさらにより好ましい。
また、長腓骨筋８２への緊締力は、２ｈＰａから１５ｈＰａで、外側縦アーチ押圧部１２と立方骨皮膚部６２との間に作用する圧力を測定した場合において、２ｈＰａから１５ｈＰａであることが好ましく、３ｈＰａから１０ｈＰａであることがより好ましく、４ｈＰａから８ｈＰａであることがさらにより好ましい。
【００２８】
母趾アーチ調整バンド２０は、母趾の爪３３の付け根３４を覆うように基節骨４３ａと末節骨４１ａとの間の関節部４０を巻き、横アーチ７３の保持機能と母趾機能を向上させるバンドである。
母趾アーチ調整バンド２０は、足３０の母趾に差し込まれると、足３０の母趾の周囲を所定の押圧力で圧縮する伸縮性を有するリング状のバンドである。母趾アーチ調整バンド２０の素材は、非ジエン系のシリコンゴム、非ジエン系のウレタンゴム、天然ゴム、又は熱可塑性エラストマーが好ましい。
【００２９】
母趾アーチ調整バンド２０は、母趾アーチ調整バンド２０の伸縮性による緊締力が長母趾屈筋に付与されるように、基節骨４３ａと末節骨４１ａとの間の関節部４０の皮膚表面である基節骨皮膚部６７に当接する。
基節骨皮膚部６７は、母趾アーチ調整バンド２０が足の親指３２に挿入された際に、親指３２の爪３３の全体が露出するような位置である。
長母趾屈筋への緊締力は、２ｈＰａから１５ｈＰａで、母趾アーチ調整バンド２０と基節骨皮膚部６７との間に作用する圧力を測定した場合において、２ｈＰａから１５ｈＰａであることが好ましく、３ｈＰａから１０ｈＰａであることがより好ましく、４ｈＰａから８ｈＰａであることがさらにより好ましい。
【００３０】
足背アーチ調整バンド１０は、内側縦アーチ押圧部１１が舟状骨皮膚部６１に当接させ、外側縦アーチ押圧部１２が立方骨皮膚部６２に当接させるように、足背アーチ調整バンド１０を舟状骨皮膚部６１及び立方骨皮膚部６２を通して巻きつけることにより、足３０に装着される。
また、母趾アーチ調整バンド２０は、母趾基節骨４３ａの内転が矯正され、母趾アーチ調整バンド２０が基節骨皮膚部６７に当接させるように、母趾アーチ調整バンド２０を母趾（親指３２）に巻きつけることにより、足３０に装着される。
【００３１】
足背アーチ調整バンド１０及び母趾アーチ調整バンド２０は、内側縦アーチ７１のかなめとなる舟状骨５１、外側縦アーチ７２のかなめとなる立方骨５２、及び、母趾の関節部４０を両側ともにサポートすることで、内側縦アーチ７１、外側縦アーチ７２、及び横アーチ７３の矯正効果に寄与し、足部アーチ７１、７２、７３の保持機能の低下にともない生じるさまざまな症状を改善することができる。
【００３２】
足背アーチ調整バンド１０及び母趾アーチ調整バンド２０は、足背アーチ調整バンド１０及び母趾アーチ調整バンド２０の装着が安易でかつ、直接足に装着するため屋内や屋外に係わらず足背アーチ調整バンド１０及び母趾アーチ調整バンド２０を装着することが可能であり、足部アーチ７１、７２、７３の矯正効果を維持することができる。
【００３３】
足背アーチ調整バンド１０及び母趾アーチ調整バンド２０は、直接足に装着するため、装着した状態において、靴及び靴下を履く際に、これらを限定しない。また、足背アーチ調整バンド１０及び母趾アーチ調整バンド２０の厚さは薄いため、足背アーチ調整バンド１０及び母趾アーチ調整バンド２０を装着しても、違和感を与えることが殆どない。
【００３４】
足背アーチ調整バンド１０は、内側縦アーチ７１のかなめとなる舟状骨５１と外側縦アーチ７２のかなめとなる立方骨５２とをサポートする。このため、２つの骨の部分をサポートすることにより、足部の内側縦アーチ７１及び外側縦アーチ７２の保持と、内側縦アーチ７１及び外側縦アーチ７２を継続的に保持するために重要な後脛骨筋８１（内側縦アーチ７１）及び長腓骨筋８２（外側縦アーチ７２）の筋機能を向上させ、後脛骨筋８１及び長腓骨筋８２による内側縦アーチ７１及び外側縦アーチ７２の保持機能を高めることとができる。そして、足部アーチ７１、７２の保持機能を向上させることは足部アーチ７１、７２の保持機能の低下にともない生じる扁平足などのさまざまな症状を改善することが期待できる。
【００３５】
図５で示されている実線は、健常な方が歩いている際に通る足圧中心の軌跡である。この足圧中心の軌跡がみられる場合は、さまざまな足や足から派生する障害は起こりにくい良好な歩行を示している。
踵接地ａ、足底接地ｂ、踵離地ｃ、つま先離地ｄと、母趾への足圧中心軌跡をみると、つま先が離れる際には母趾に体重がかかっていくことがわかる。図６は、女性で多くみられる外反母趾や前方部の横アーチ低下にともない生じるモートン病などの方の足圧中心の軌跡であり、母趾には向かわず内側に傾く場合や中央に向かう場合があり、母趾への体重移動は困難であることがわかる。
【００３６】
外反母趾やモートン病などが生じる要因は、足部の内側縦アーチ７１と外側縦アーチ７２の間隙部分にある横アーチ７３、特に前方部分の低下であるとされる。足部アーチ調整バンド１は、後脛骨筋８１及び長腓骨筋８２の筋機能を向上させるため、後部の横アーチ７３と中部の横アーチ７３とには有効な効果を示す。そのため、母趾の爪３３の付け根３４を覆うように基節骨４３ａと末節骨４１ａとの間の関節部４０を巻く母趾アーチ調整バンド２０を追加することで、母趾への体重移動を可能にすることや短母趾屈筋、長母趾屈筋を有効に作用させ、横アーチ７３の改善を図ることが可能となる。
つまり足部アーチ調整バンド１、すなわち、足背アーチ調整バンド１０と母趾アーチ調整バンド２０とを組み合わせて用いることで、内側縦アーチ７１、外側縦アーチ７２、及び、すべての横アーチ７３の矯正効果と歩行時にみられる良好な足圧中心線を形成することができ、足部アーチ７１、７２、７３の保持機能の低下にともない生じる外反母趾やモートン病、扁平足などのさまざまな症状を改善することができる。
【００３７】
図７及び図８を参照して、本発明に係るフットウエア１００ａの説明をする。フットウエア１００ａは、足背が差し込まれる、例えば、５本指の靴下である。フットウエア１００ａは、フットウエア本体１１０ａに形成された足背アーチ調整バンド部１０ａと母趾アーチ調整バンド部２０ａとを有する。
足背アーチ調整バンド部１０ａは足の甲の周囲にバンド状に緊締力を付与し、母趾アーチ調整バンド部２０ａは親指の周囲にバンド状に緊締力を付与する。足背アーチ調整バンド部１０ａと母趾アーチ調整バンド部２０ａとの押圧力は、フットウエア１００ａの足背アーチ調整バンド部１０ａ及び母趾アーチ調整バンド部２０ａ以外のフットウエア本体部分の押圧力より大きい。
フットウエア１００ａは、足背アーチ調整バンド部１０ａと母趾アーチ調整バンド部２０ａとの編糸の太さや本数を代えたり、編組織を変更させたりして、フットウエア本体部分より圧力を促すようにしている。
【００３８】
フットウエア１００ａを足に履いた状態において、足背アーチ調整バンド部１０ａは、図１、図３に示すような内側縦アーチ押圧部１１と外側縦アーチ押圧部１２とを有する。
すなわち、内側縦アーチ押圧部１１は、足背アーチ調整バンド１０の伸縮性による緊締力が後脛骨筋８１に付与するように、足３０の皮膚表面６０のうち舟状骨５１の表面である舟状骨皮膚部６１を押圧する。また、外側縦アーチ押圧部１２は、足背アーチ調整バンド１０の伸縮性による緊締力が長腓骨筋８２に付与するように、足３０の皮膚表面６０のうち立方骨５２の表面である立方骨皮膚部６２を押圧する。
【００３９】
フットウエア１００ａを足に履いた状態において、母趾アーチ調整バンド部２０ａは、母趾アーチ調整バンド２０の伸縮性による緊締力が長母趾屈筋に付与されるように、基節骨４３ａと末節骨４１ａとの間の関節部４０の皮膚表面である基節骨皮膚部６７に当接する。これにより、母趾アーチ調整バンド部２０ａは、母趾の爪３３の付け根３４を覆うように基節骨４３ａと末節骨４１ａとの間の関節部４０を巻き絞め、横アーチ７３の保持機能と母趾機能を向上させる。
【００４０】
図９を参照して、本発明に係るフットウエア１００ｂの説明をする。フットウエア１００ｂは、足背が差し込まれる、例えば、通常の５本指がまとまっている靴下である。フットウエア１００ｂは、フットウエア本体１１０ｂに形成された足背アーチ調整バンド部１０ａを有する。したがって、フットウエア１００ｂは、フットウエア１００ａの母趾アーチ調整バンド部２０ａがないこと以外はフットウエア１００ａと同じである。
【００４１】
図１０及び図１１を参照して、本発明に係るフットウエア１００ｃの説明をする。フットウエア１００ｃは、足背が差し込まれる、例えば、通常の５本指がまとまっている靴下である。フットウエア１００ｃは、フットウエア本体１１０ｃに形成された足背アーチ調整バンド部１０ｃと母趾アーチ調整バンド部２０ｃとを有する。
母趾アーチ調整バンド部２０ｃは、フットウエア本体１１０ｃの親指３２の外側を押圧するようにＣ字状に形成された弾性部材である。すなわち、母趾アーチ調整バンド部２０ｃは、親指３２の母趾の爪３３の付け根３４を覆うように基節骨４３ａと末節骨４１ａとの間の関節部４０を半巻き状態に押圧して、横アーチ７３の保持機能と母趾機能を向上させるＣ字状バンドである。母趾アーチ調整バンド部２０ｃは、フットウエア本体１１０ｃの内側に接着剤や縫い糸等によりくっついていたり、編糸の太さや本数を代えたり、編組織を変更させたりして、フットウエア本体部分より圧力を促すようにしている。
【００４２】
図１２及び図１３を参照して、本発明に係るバンド付きフットウエア２００ａの説明をする。バンド付きフットウエア２００ａは、例えば、靴底１２７が厚く、フットウエア１２０のアイレット（靴紐を通す穴）に靴紐１２５を通してタン１２３を押さえる運動靴のようなフットウエア１２０に、足背アーチ調整バンド１０が形成されている。
足背アーチ調整バンド１０は、フットウエア１２０の内側やタン１２３に、接着剤や縫い糸等でくっついている。
なお、図示はしないが、緊締力が長母趾屈筋に付与されるように、母趾アーチ調整バンド２０がフットウエアの内側に取り付けられていてもよい。
【００４３】
図１４を参照して、本発明に係るバンド付きインソール３００の説明をする。バンド付きインソール３００は、インソール３１０に足背アーチ調整バンド１０及び母趾アーチ調整バンド２０が接着剤や縫い糸等でくっついている。
【００４４】
ここで、フットウエアは、靴下、や５本指靴下として説明したが、足袋型靴下、スポーツソックス、ストッキング、タイツ、スパッツ、レギンス、トレンカ、足袋、地下足袋、トレーニングウエア、スポーツウェア、靴、スリッパ、又は、ルームシューズ等であってもよい。
また、フットウエアがトレーニングウエアやスポーツウェア等である場合、フットウエアの足背アーチ調整バンド１０と母趾アーチ調整バンド２０との編糸の太さ、編糸の本数、編糸の編組織をフットウエア本体と異なるようにしたり、フットウエア１ａのうち足背アーチ調整バンド１０と母趾アーチ調整バンド２０とに該当する部分に、伸縮性の生地を重ねて縫着したりして、足背アーチ調整バンド１０及び母趾アーチ調整バンド２０の緊締される部位及び圧力を促すようにする。
【００４５】
また、バンド付きフットウエアが靴、スリッパ、ルームシューズである場合、足背アーチ調整バンド１０及び母趾アーチ調整バンド２０の足底部分に接触する形状を、靴、スリッパ、ルームシューズ等を履いた際に中敷きの同部位にあたる材質を重ねて縫着したり、編糸の太さや本数、編組織を変更させたりして部位への圧力を促し、また、足側面および甲の部分は非ジエン系のシリコンゴム、非ジエン系のウレタンゴム、天然ゴム、又は、熱可塑性エラストマー等の素材によって足背アーチ調整バンド１０及び母趾アーチ調整バンド２０の緊締される部位及び圧迫を促すようにする。
また、靴、スリッパ、ルームシューズ等の中敷きに、直接、足背アーチ調整バンド１０及び母趾アーチ調整バンド２０を接着又は縫着してもよい。
さらに、フットウエア１ａは、足背アーチ調整バンド１０及び母趾アーチ調整バンド２０を組み合わせる方法とそれぞれのバンドを単独で形成してもよい。
【実施例】
【００４６】
［実施例１］足部アーチ調整バンドによる矯正効果の確認
図１に示された基本構成を備えた足部アーチ調整バンドを用いた。
足背アーチ調整バンドの幅は、内側縦アーチのかなめとなる舟状骨、及び外側縦アーチのかなめとなる立方骨、を的確に保持する幅とし１５ｍｍとした。
母趾基節骨と母趾末節骨との間の関節部を保持する母趾アーチ調整バンドの幅は９ｍｍとした。バンドの素材は長軸方向に伸縮が可能なゴム糸が編みこまれたゴムバンドである。
【００４７】
［矯正効果の確認比較］
比較は、足部アーチ調整バンドを装着した場合とバンドを装着しない裸足の場合である。
【００４８】
［対象の選定］
対象は足部や下肢に整形外科的疾患がなく、事前にバンド装着の目的や測定内容を口頭と書面にて説明し同意を得た健常成人男性６名とした（年齢：２８．５±３．１歳  身長：１７４．８±１０．８ｃｍ  体重：６７．９±１０．７ｋｇ）。
【００４９】
［確認方法］
客観的なバンドの効果の確認方法として、座位と立位にて床面から舟状骨下端までの距離を計測し変化値を算出するｎａｖｉｃｕｌａｒ  ｄｒｏｐ  ｔｅｓｔを用い比較した。なお、計測側は右側とした。
【００５０】
図１５は、ｎａｖｉｃｕｌａｒ  ｄｒｏｐ  ｔｅｓｔの計測方法を示した図である。計測方法は、股関節・膝関節を９０°、足関節中間位とした座位にて床面ＦＬから舟状骨下端α１までの距離β１を定規Ｊにて計測し、その後、立位にて同様に床面ＦＬから舟状骨下端α２までの距離β２を定規Ｊにて計測し、座位と立位との距離の変化値を算出する。
【００５１】
ｎａｖｉｃｕｌａｒ  ｄｒｏｐ  ｔｅｓｔの計測基準となる舟状骨は、内側縦アーチを構成する骨であることから、内側縦アーチの高低を評価することができる。内側縦アーチの高低は、距骨と踵骨との間にある距骨下関節の肢位によって決定される。距骨下関節の回外では、踵立方関節が制動されアーチの低下が起こらず、一方、距骨下関節の回内では、踵立方関節が制動されずアーチの低下が生じる。このような関節の動きによってアーチ変化が起こることから、ｎａｖｉｃｕｌａｒ  ｄｒｏｐ  ｔｅｓｔの値が高値では内側縦アーチは低下していることが示され、低値では内側縦アーチは保持されていることが示されることになる。
足部アーチ調整バンドを装着した場合とバンドを装着しない裸足の場合において、各３回計測し平均値を算出した。統計学的検定にはｔ検定を用い、有意水準は５％未満とした。
【００５２】
［結果］
表１は、図１の足部アーチ調整バンドを装着した場合のｎａｖｉｃｕｌａｒ  ｄｒｏｐ  ｔｅｓｔの値とバンドを装着していない場合のｎａｖｉｃｕｌａｒ  ｄｒｏｐ  ｔｅｓｔの値を示した表である。
表１に示されるように、足部アーチ調整バンドを装着した場合は装着しない場合に比べ、ｎａｖｉｃｕｌａｒ  ｄｒｏｐ  ｔｅｓｔの値が低いことがわかる。この結果から、バンドを装着した際は内側縦アーチが低下しにくくアーチが保持されることを示す。
【００５３】
【表１】
0006402044.tif 000002
【００５４】
［実施例２］足部アーチ調整バンドによる身体機能変化の確認
実施例２は、実施例１のバンドと同じである。
【００５５】
［身体機能変化の確認比較］
比較は、実施例１と同じく足部アーチ調整バンドを装着した場合とバンドを装着しない裸足の場合である。
【００５６】
［対象の選定］
対象は実施例１と同じである。
【００５７】
［確認方法］
客観的なバンドの効果の確認方法として、肩関節屈曲及び伸展角度、大腿前面にある大腿四頭筋及び大腿後面にあるハムストリングの硬さ、足部の皮膚表面温度の変化を比較した。なお測定側は右側とした。
肩関節屈曲及び伸展の関節可動域計測は、日本整形外科学会と日本リハビリテーション医学会が制定する関節可動域表示及び測定法を使用した。計測肢位は立位とした。肩関節屈曲と伸展との間の角度γは、肩峰を通る床への垂直線と上腕骨とのなす角を計測した（図１６参照）。計測には関節角度計を使用した。
【００５８】
大腿四頭筋の硬さは、ｈｅｅｌ  ｂｕｔｔｏｃｋ  ｄｉｓｔａｎｃｅ（以下ＨＢＤ）を使用した。計測肢位は腹臥位とし、計測側の膝関節を最大に屈曲させ踵を殿部につけるように他動的に動かした際の殿部と踵との間の距離ｈを計測した（図１７参照）。計測には定規を使用した。
【００５９】
ハムストリングの硬さは、下肢伸展拳上テスト（以下ＳＬＲ）を使用した。計測肢位は背臥位とし、計測側の膝を伸展したまま下肢を拳上していき、大腿後面の筋の伸張痛や抵抗感の増加が出現する手前の股関節屈曲角度δを計測した（図１８参照）。なお、計測には関節角度計を使用した。
【００６０】
足部の皮膚表面温度の計測は、医用サーモグラフィ装置ｉｎｆｒａ−ｅｙｅ  ｍｉｎｉ（日本光電社製）を用いた。計測側は右側とし、計測肢位は座位とした。室温は２５℃に設定し、足背中央、母趾頭部の２点を計測した。足部アーチ調整バンドの装着前、バンド装着後３分後、５分後、１０分後の足背中央、母趾頭部の皮膚表在温度を計測した。
【００６１】
肩関節屈曲、伸展可動域とＨＢＤ、ＳＬＲは足部アーチ調整バンドを装着した場合とバンドを装着しない裸足の場合にて各３回計測し平均値を算出した。統計学的検定にはｔ検定を用い、有意水準は５％未満とした。足部の皮膚表面温度の計測は足部アーチ装着なし、装着３分後、５分後、１０分後の平均値を算出した。足部アーチ装着なしと装着後の各時期との比較にはｔ検定を用い、有意水準は５％未満とした。
【００６２】
［結果］
表２は、図１の足部アーチ調整バンドを装着した場合とバンドを装着していない場合の肩関節屈曲、伸展角度とＨＢＤ、ＳＬＲを示した表である。表２に示されるように、足部アーチ調整バンドを装着した場合は装着しない場合に比べ、肩関節屈曲、伸展角度、ＳＬＲの増加がみられ、ＨＢＤは減少することがわかる。この結果から、バンドを装着した際は足部より上位にある膝関節、股関節、肩関節などの関節運動性を向上させることを示す。
【００６３】
【表２】
0006402044.tif 000003
【００６４】
表３は、図１の足部アーチ調整バンドを装着する前とバンド装着３分後、５分後、１０分後の足部の皮膚表面温度変化を示した表である。表３に示されるように、足部アーチ調整バンドを装着する前に比べ、バンド装着１０分後の皮膚表面温度は、足背中央部は軽度上昇、母趾頭部は上昇することがわかる。この結果から、バンドを装着した際は足部の循環動態を高めることを示す。
【００６５】
【表３】
0006402044.tif 000004
【００６６】
本発明の優位性は、表１から表３から、明らかである。
【符号の説明】
【００６７】
１  足部アーチ調整バンド
１０  足背アーチ調整バンド
１０ａ  足背アーチ調整バンド部
２０  母趾アーチ調整バンド
２０ａ、２０ｃ  母趾アーチ調整バンド部
３０  足
３１  足の付け根
３２  足の親指
３３  足の親指の爪
３４  足の親指の付け根
４０  関節部
４１ａ〜４１ｅ  末節骨
４２  中節骨
４３ａ〜４３ｅ  基節骨
４５  距骨
５１  舟状骨
５２  立方骨
５３ａ〜５３ｅ  中足骨
５５  踵骨
５６  楔状骨
６０  足の皮膚表面
６１  足の皮膚表面のうち舟状骨皮膚部
６２  足の皮膚表面のうち立方骨皮膚部
６３  足の皮膚表面のうち甲に相当する皮膚表面部
６７  基節骨皮膚部
６８  窪み（土踏まず）
７１  内側縦アーチ（足部アーチ）
７２  外側縦アーチ（足部アーチ）
７３  横アーチ（足部アーチ）
８１  後脛骨筋
８２  長腓骨筋
１００ａ、１００ｂ、１００ｃ  フットウエア
１１０ａ、１１０ｂ、１１０ｃ  フットウエア本体
２００ａ  バンド付きフットウエア
３００  バンド付きインソール
【図１】
0006402044.tif 000005
【図２】
0006402044.tif 000006
【図３】
0006402044.tif 000007
【図４】
0006402044.tif 000008
【図５】
0006402044.tif 000009
【図６】
0006402044.tif 000010
【図７】
0006402044.tif 000011
【図８】
0006402044.tif 000012
【図９】
0006402044.tif 000013
【図１０】
0006402044.tif 000014
【図１１】
0006402044.tif 000015
【図１２】
0006402044.tif 000016
【図１３】
0006402044.tif 000017
【図１４】
0006402044.tif 000018
【図１５】
0006402044.tif 000019
【図１６】
0006402044.tif 000020
【図１７】
0006402044.tif 000021
【図１８】
0006402044.tif 000022